(57)【要約】【目的】どこにでも簡便に取り付けることができ、吸殻を捨てやすい使い捨て灰皿の提供【構成】内面にアルミを貼り付けた上部開放の袋からなる接着可能な使いすて灰皿であって、袋背面に両面テープを設ける。また、前記使い捨て灰皿のいずれかの面に広告をほどこす。使い捨て灰皿の形状は特に限定がないが、吸殻を入れるため、内面にアルミなど、耐火性の素材を使用する。使い捨てであるため、数回の使用に耐えうる素材で、両面テープのような接着手段で接着可能なような軽量素材を用いる。【選択図】　図２
0003098196.tif 000002
【実用新案登録請求の範囲】
【請求項１】
内面にアルミを貼り付けた上部開放の袋からなり、袋背面に両面テープを設けたことを特徴とする使い捨て灰皿。
【請求項２】
請求項１記載の使い捨て灰皿の袋表面及び／又は側面に広告がほどこされていることを特徴とする広告付き使い捨て灰皿。
【考案の詳細な説明】
【０００１】
【考案の属する技術分野】
本考案は、例えば自転車などの移動乗り物あるいは踏み切りや信号のある交叉点などの信号待ちする場合の信号機近傍あるいは会社、工場の門や塀など、喫煙者が移動中にタバコの灰あるいは吸殻を捨てたいが、常時灰皿の設置がない場所に、瞬時に設置可能である使い捨て灰皿に関するものである。
【０００２】
【従来の技術】
従来の設置型の灰皿は、金属製で大きく、設置費用は本考案に比べて非常に高いものである。また、携帯用の灰皿としては、口部分に強力な板ばねを用いて両端を押圧することにより開くようになっているビニール製のものがある。
しかしながら、自転車に乗っている場合には、吸殻を捨てる場合に、この携帯用灰皿を取り出すことも危ないし、また、取り出せたとしてもさらにそれの口部を開かせて吸殻を捨てることは出来ないのが現状であり、現実的には、道端や、川べりに捨てていることが多かった。
【０００３】
また、通勤途中などで歩いている場合に、信号待ちや工場・会社の入り口において吸殻を捨てたくても灰皿が設置されていないことが多く、捨て場所に困っているのが現状であった。
そして、工場や会社側等でも、灰皿の設置を行うにも適当な設置場所がなく、しかも設置後の吸殻の清掃等に手間がかかるため、問題であった。
【０００４】
【考案が解決しようとする課題】
そこで本考案は、上述した問題点に鑑み、どこにでも簡単に取り付けでき、しかも使用後は吸殻を入れたまま処分できる使い捨て使い捨て灰皿を提供するものである。
【０００５】
【課題を解決するための手段】
上記課題を解決するために本考案の使い捨て灰皿は、内面にアルミを貼り付けた上部開放の袋からなる接着可能な使いすて灰皿であって、袋背面に両面テープを設けたことを要旨とする。
【０００６】
さらに、本考案の使い捨て灰皿は、袋表面及び／又は側面に広告がほどこされていることを要旨とする。
【０００７】
【考案の実施の形態】
本考案の使い捨て灰皿は、吸殻を入れるものであるため、それに十分な上部開口部を有していれば、全体は小さいものでもかまわない。特に自転車や三輪車、スクータ、あるいは車椅子など移動乗り物に取り付ける場合は、縦５−６ｃｍ、横６ｃｍ奥行き３ｃｍ程度が好ましい。
これに対して、信号待ちの交差点や会社の玄関には、他人数が利用可能なようにやや大きめの、例えば縦横１０ｃｍから１５ｃｍで奥行き５−８ｃｍあるいはそれ以上でもかまわない。また、使用場所は上記乗り物や門、壁に限らず、職場の机の側面やキッチンなどちょっとしたスペースにも簡単に取り付け可能であるため、使用場所は無限に考えられる。
【０００８】
また、袋の形状は、吸殻を入れる入り口開口部は比較的大きくとることが必要であるが、内部はある程度の吸殻（場合によっては、消火用の僅かな水）が貯まるようになっていれば良く、袋の底は図１の底部（５）のようにしぼんでいても、図２のようにしっかりマチが取ってあってもかまわない。使い捨てのため、丈夫な素材である必要はないが、灰皿を形成する素材は表面裏面ともタバコの火によって変化しない耐火性のものが好ましく、たとえばポリエチレンやポロプロピレン、ポリエチレンテレフタレートの外装で内装をアルミにしたもの等が考えられる。
【０００９】
また、背後の接着剤は、接着相手が金属、樹脂、木、壁等に接着可能であれば良く、ややしっかりしたクッション性のある接着テープが好ましい。灰皿内に捨てられるものは吸殻であるため、相当数の灰殻がたまっても、重量的にはそれ程重くないため、強固な接着構造は必要ではない。従って、両面テープ等でも十分接着可能である。また、使い捨てを前提としているため、容易に接着面がはがれて、捨てられることが必要となる。
なお、本考案は使い捨てを原則としているが、灰皿を洗って、再接着して再度使用しても良いことはもちろんである。その場合は再接着可能な接着材を用いる。
【００１０】
【実施例】
〔実施例１〕
本考案の使い捨て灰皿の第１の実施例を図１から図２を参照しながら説明する。
図１（ａ）（ｂ）は本考案の使い捨て灰皿の正面よりの斜視図である。（ｃ）は背面図である。図２は実施例１の使用状態を説明する拡大使用状態図である。
【００１１】
本実施例においては、自転車に貼付して使用した場合を説明する。
図において（１）は使い捨て灰皿、（２）は、灰皿表面、（３）は灰皿内面、（４）はマチ部、（５）は底部、（６）は背面、（７）は両面テープ、（８）は自転車のハンドルバーである。
【００１２】
図に示すように、使い捨て灰皿の上部は完全に開放状態として、吸殻を入れやすくするためにマチ部（４）も設けている。使い捨て灰皿の素材は、表面材としては、ポリエチレン、内面にはアルミを積層した厚さ１０ミクロンのフィルムである。そして、自転車に取り付ける場合は、吸殻の量が少ないと予想されるため、底部のマチは設けずにシールし（５）、全体の大きさも縦５ｃｍから１０ｃｍ、横４ｃｍから８ｃｍ、奥行き２ｃｍから４ｃｍ程度としている。また、背面に接着部を設け、本実施例ではその箇所に両面テープ（７）を使用している。なお、この接着部は背面（６）のどの位置に設けても、使い捨て灰皿（１）が自転車のハンドルバーに一時的に固定され、自転車の走行中に自転車から落下しない状態及び吸殻が捨てられた場合の吸殻の重量によって自転車から落下しない状態であれば良い。
また、図１（ｂ）に示すように、接着部を上部に設け、袋状部分を接着部より下方に設けて上部開口部がしっかりと開き易くしても良い。
【００１３】
さらに、使い捨て灰皿（１）の表面（２）の正面には広告（Ａ）を設けても良い。少なくとも数日から１週間程度は何度か目にする部分であり、広告効果があるものと思われる。吸殻を入れる場合に、吸殻を上手く袋内に捨てるためには、しっかりとこの使い捨て灰皿の上部開口部あたりを見るであろうし、その時、同時に正面の広告も目に入るからである。また、この広告効果は自転車に乗って実際に利用する人だけでなく、自転車を停車中に、近くを通過する人々に対しても効果的である。
【００１４】
このような使い捨て灰皿を使用すると、従来、自転車に乗っているときには、つい道端に投げ捨てていた吸殻を、きちんとまとめて捨てることが可能となり、環境美化の点からも好ましい。また、従来より薄いケースの口に板ばねを内蔵した携帯用灰皿はあるが、自転車に乗っている場合に、この携帯用灰皿をポケットより取り出して、口を開け吸殻を捨てる動作を行うのは、非常に危険であり、また現実的に無理であった。さらに、本考案の使い捨て灰皿はどのような自転車に対しても、簡単に両面テープの剥離紙をはがしてつけるだけで取り付けることが可能となり、手軽である。手軽に取り付けができるため、億劫がらずに、こまめに使用することができ、町中に吸殻がばらまかれることがなくなる。自転車以外にも、スクータや車椅子、ベビーカーを喫煙者が押している場合にはベビーカーのハンドルにも取り付けて利用することができる。
【００１５】
〔実施例２〕
本考案の使い捨て灰皿の第２の実施例を図３から図６を参照しながら説明する。
図３（ａ）（ｂ）は本考案の使い捨て灰皿の正面よりの斜視図である。（ｃ）は背面図である。図４から図６は実施例２の使用状態を説明する使用状態図である。
【００１６】
本実施例においては、会社の玄関あるいは門、さらには交差点の信号機に貼付して使用した場合を説明する。
図において（１’）は使い捨て灰皿、（２）は、灰皿表面、（３）は灰皿内面、（４’）はマチ部、（５’）は底部、（６）は背面、（９）は両面テープ、（１０）は会社の玄関、（１１）工場の門、（１２）は交差点、（１３）は信号機である。
【００１７】
図に示すように、使い捨て灰皿の上部は完全に開放状態として、吸殻を入れやすくするためにマチ部（４’）も設けている。そして、会社の門や建物入り口等に取り付ける場合は、従業員の数にもよるが、出勤者が多く吸殻を投入すると予想されるため、しっかり吸殻を収容できるように大型の使い捨て灰皿を使用する。従って、例えば、底部のマチをしっかりと設け（５’）、全体の大きさも縦１０ｃｍから１５ｃｍ、横８ｃｍから１５ｃｍ、奥行き５ｃｍから１０ｃｍ程度としている。また、背面に上下に接着部を設け、内部には念のため少し水を入れておくと良い。本実施例ではその箇所に厚手のクッション製両面テープ（９）を使用している。なお、この接着部は背面（６）の全体に設けても良いことはもちろんである。
【００１８】
使い捨て灰皿（１’）が門あるいは建物に一時的に固定され、やや多めの吸殻が入れられても落下しない状態であれば良い。
なお、本実施例においても、使い捨て灰皿接着部表面及び袋前面さらにはマチ部（４）にも図３（ａ）に示すように広告（Ｂ）を設けている。
特に、本実施例では、灰皿の全体面積も大きく、上部接着部表面（９ａ）やマチ部（４）だけでも広告に適する面積を有するため、表面以外にもそのような箇所に広告をすることが可能となる。
【００１９】
このような使い捨て灰皿を使用すると、出勤してきた従業員が、会社あるいは工場の入り口で、それまで喫煙していた吸殻を簡単に捨てることが可能で、これから仕事を行うという気構えができ好ましい。また、会社の入り口あたりに散乱しやすい吸殻が一定の場所に捨てられることで、会社の入り口近傍の美化にも役立つ。また、従来灰皿の設置が困難であった、工場の壁などにも簡単に灰皿を取り付けることが可能で、あらゆる場所での使い捨て灰皿の設置が可能となる。、また、たくさんの吸殻が捨てられても、使い捨て灰皿そのものを灰皿と共に処分することが可能で町の環境美化に大いに役立つ。
さらに、交差点の信号待ちの場合などに、信号機にこの使い捨て灰皿が設置されていると、交差点に安易に捨てられ散乱していた吸い殻が無くなり、町の美化にも大いに役立つ。また、これらの吸殻を捨てやすい位置は、人の肩の高さから腰の高さまでと考えられ、丁度広告も目の高さに近い位置となり、広告が目に入り易くなる。信号待ちのようなほかに注意するものがない場合には、吸殻を捨てると共に、本考案の広告に注目されることが予想されるので、このような位置に広告付き使い捨て灰皿を設置することで、広告が目に入り易くなる。従って、広告効果も高まる。
【００２０】
【考案の効果】
本考案は、以上説明したように簡易な構成のため手軽に、どこにでも簡単に設置できる灰皿であり、この使い捨て灰皿を利用することで、吸殻が路上に捨てられることがなくなる。特に移動する乗り物にも設置可能で、処分も吸殻と共に使い捨て灰皿そのものを捨てるように考えられているため、便利である。また、従来の携帯用灰皿のように、片手で携帯用灰皿を持ったり、口を開くために力を加える必要がなくなるため、片手が灰皿の操作のためにふさがることがなく、両手が自由に使え便利である。環境美化にも大いに役立つものである。
【図面の簡単な説明】
【図１】（ａ）本考案の第１の実施例の全体斜視図である。
（ｂ）本考案の第１の実施例変形例の全体斜視図である。
（ｃ）本考案の第１の実施例の背面図である。
【図２】本考案の第１の実施例の使用状態図である。
【図３】（ａ）本考案の第２の実施例の全体斜視図である。
（ｃ）本考案の第２の実施例の背面図である。
【図４】本考案の第２の実施例の使用状態図である。
【図５】本考案の第２の実施例の他の使用状態図である。
【図６】本考案の第２の実施例の他の使用状態図である。
【符号の説明】
１　　使い捨て灰皿本体
２　　使い捨て灰皿表面
３　　使い捨て灰皿内面
４　　マチ部
５　　底部
６　　背面
７　　接着部（両面テープ）
８　　自転車ハンドルバー
９　　接着部（両面テープ）
９ａ　上部接着表面
１０　会社の玄関
１１　門
１２　交差点
１３　信号機
【図１】
0003098196.tif 000003
【図２】
0003098196.tif 000004
【図３】
0003098196.tif 000005
【図４】
0003098196.tif 000006
【図５】
0003098196.tif 000007
【図６】
0003098196.tif 000008